(57)【要約】【課題】  切花ラッピング袋において、低価格で、ブーケを小売店で容易かつ短時間で綺麗にかつ長持ちするようにラッピングできること。【解決手段】  切花ラッピング袋１で客が買い求めたブーケをラッピングするには、まず上端開口部５を大きく開いて、適量の花用給水ゼリーを底部分２に充填する。次に、ブーケを上端開口部５から入れて、ブーケの切り口が底部分２の花用給水ゼリーにしっかり浸されるようにする。そして、底部分２の上端２ａにおいてブーケの茎部分を強く縛るようにセロハンテープを巻いて、セロハンテープの上から飾りリボンを蝶結び等で結び、後は飾りに上端開口部５の一端を飾り接着シールで留めればラッピングは完成するので、誰にも簡単に短時間でラッピングができる。また、底部分２の全面が白色印刷で不透明になっているので花用給水ゼリーやブーケの切り口が見えずに見栄えも良い。【選択図】        図１
2005088910.tif 000002
【特許請求の範囲】
【請求項１】
透明プラスティックフィルムからなり、前記透明プラスティックフィルムは上端開口部を除いて閉じられており、花用給水ゼリーを入れる底部分と、該底部分に続いて幅が曲線状に大きく拡がった拡がり部分とを具備する切花ラッピング袋において、
前記底部分の周囲は全面に印刷をすることによって不透明または半透明とし、
使用時には前記底部分に前記花用給水ゼリーが格納自在であり、
花が納まるように予め長さを調節して作られたブーケの切り口が、前記花用給水ゼリー中に入るように前記上端開口部から前記ブーケを挿入自在であり、
前記底部分の上端において前記ブーケの茎部分を強く縛るように縛具及び／または前記縛具の上から飾りリボンを巻き付けて飾り結びが自在なことを特徴とする切花ラッピング袋。
【請求項２】
前記上端開口部の一端を飾り接着シールで留めることを特徴とする請求項１に記載の切花ラッピング袋。
【請求項３】
前記透明プラスティックフィルムはＯＰＰ（ｏｒｉｅｎｔｅｄ  ｐｏｌｙｐｒｏｐｙｌｅｎｅ；２軸延伸ポリプロピレン）とＣＰＰ（ｃａｓｔ  ｐｏｌｙｐｒｏｐｙｌｅｎｅ；無延伸ポリプロピレン）を貼り合わせたものからなることを特徴とする請求項１または請求項２に記載の切花ラッピング袋。
【請求項４】
前記拡がり部分から上の部分にも模様・図形・文字・記号・飾り文字のうち１つ以上を印刷したことを特徴とする請求項１乃至請求項３のいずれか１つに記載の切花ラッピング袋。
【請求項５】
前記印刷は白色であることを特徴とする請求項１乃至請求項４のいずれか１つに記載の切花ラッピング袋。
【請求項６】
前記透明プラスティックフィルムは厚さ約３０μｍのＯＰＰ／ＣＰＰフィルムからなることを特徴とする請求項１乃至請求項５のいずれか１つに記載の切花ラッピング袋。
【発明の詳細な説明】
【技術分野】
【０００１】
本発明は、ブーケを小売店で容易かつ短時間で綺麗にかつ長持ちするようにラッピングできる切花ラッピング袋に関するものである。なお、本明細書及び特許請求の範囲においては、「ブーケ」はフランス語本来の「花束」を広く意味するものでなく、外来語として一般に使われているように花嫁等が持つ小さな花束を意味する言葉として使用する。
【背景技術】
【０００２】
生花店で、自分の好みの花を複数本組み合わせて花束やブーケを作ってもらったり、予め作ってあるブーケの中から好みのものを買い求めたりすると、透明なシート状のプラスティックフィルムでラッピングしてくれるが、このラッピングにはかなりの時間が掛かる。特に、切花を長時間もたせるために、切り口に水を沁み込ませた綿やスポンジ等を巻いて、さらに水が滴り落ちないようにアルミホイル等で包んだりするので、余計に時間が掛かってしまう。近年、切花を長時間もたせるために、９９％が水でありながらゼリー状の花用給水ゼリーも開発されているが、切り口に取付けるためにはやはり時間がかかる。
【０００３】
そこで、特許文献１に記載の発明においては、アルミホイルを円形に切って中心の直径約３ｃｍの円を底面としてその周囲に放射状に細かい折り目を入れることによって、コップ状の容器としている。そして、外面を緑色に着色して、切花を束ねて包む際に切り口から滴り落ちる水滴をこの容器で受け、溜まった水分によって切花の急激な萎れを防止して切花の移動を容易ならしめることができるとしている。
【特許文献１】特開２００１−２１９９８４号公報
【発明の開示】
【発明が解決しようとする課題】
【０００４】
しかしながら、上記特許文献１に記載の技術においては、外面を緑色に着色することによって却って不自然な感じになり見栄えが悪い上に、製造に時間が掛かりコスト高になる割には花束の見た目を損なう。さらに、この容器を切花のラッピングに使用するためにはやはり透明のプラスティックフィルムで包む必要があるという問題点があった。
【０００５】
そこで、本発明は、ラッピングする切花の対象をブーケに限定して、ブーケを小売店で容易かつ短時間で綺麗にかつ長持ちするようにラッピングすることができる低価格の切花ラッピング袋を提供することを課題とするものである。
【課題を解決するための手段】
【０００６】
請求項１の発明にかかる切花ラッピング袋は、透明プラスティックフィルムからなり、前記透明プラスティックフィルムは上端開口部を除いて閉じられており、花用給水ゼリーを入れる底部分と、該底部分に続いて幅が曲線状に大きく拡がった拡がり部分とを具備する切花ラッピング袋において、前記底部分の周囲は全面に印刷をすることによって不透明または半透明とし、使用時には前記底部分に前記花用給水ゼリーが格納自在であり、花が納まるように予め長さを調節して作られたブーケの切り口が、前記花用給水ゼリー中に入るように前記上端開口部から前記ブーケを挿入自在であり、前記底部分の上端において前記ブーケの茎部分を強く縛るように縛具及び／または前記縛具の上から飾りリボンを巻き付けて飾り結びが自在なものである。
【０００７】
ここで、縛具としては、輪ゴム、セロハンテープ、紐等が該当する。
【０００８】
請求項２の発明にかかる切花ラッピング袋は、請求項１の構成において、前記上端開口部の一端を飾り接着シールで留めるものである。
【０００９】
請求項３の発明にかかる切花ラッピング袋は、請求項１または請求項２の構成において、前記透明プラスティックフィルムはＯＰＰ（ｏｒｉｅｎｔｅｄ  ｐｏｌｙｐｒｏｐｙｌｅｎｅ；２軸延伸ポリプロピレン）とＣＰＰ（ｃａｓｔ  ｐｏｌｙｐｒｏｐｙｌｅｎｅ；無延伸ポリプロピレン）を貼り合わせたものからなるものである。
【００１０】
請求項４の発明にかかる切花ラッピング袋は、請求項１乃至請求項３のいずれか１つの構成において、前記拡がり部分から上の部分にも模様・図形・文字・記号・飾り文字のうち１つ以上を印刷したものである。
【００１１】
請求項５の発明にかかる切花ラッピング袋は、請求項１乃至請求項４のいずれか１つの構成において、前記印刷は白色であるものである。
【００１２】
請求項６の発明にかかる切花ラッピング袋は、請求項１乃至請求項５のいずれか１つの構成において、前記透明プラスティックフィルムは厚さ約３０μｍのＯＰＰ／ＣＰＰフィルムからなるものである。
【発明の効果】
【００１３】
請求項１の発明にかかる切花ラッピング袋は、プラスティックフィルムからなり、幅の狭い花用給水ゼリーを入れる底部分とそれに続いて大きく曲線状に拡がる拡がり部分とを具備し、上端開口部を除いて閉じられた袋状のものである。したがって、上端開口部を開いて花用給水ゼリーを底部分に８割程度格納し、上端開口部から客の選んだブーケを茎の切り口が花用給水ゼリー中に入るように入れて、底部分上端においてブーケの茎部分を強く縛るようにセロハンテープ等の縛具及び／または縛具の上から飾りリボンを巻き付けて蝶結び等で結べばラッピングは完成する。
【００１４】
よって、誰にも簡単に短時間でラッピングができ、底部分全面が印刷で不透明または半透明になっているので花用給水ゼリーやブーケの切り口が見えずに見栄えも良く、大きな切花ラッピング袋に小さなブーケが収められているので高級感も出る。また、底部分上端においてブーケの茎部分がテープ等の縛具で強く縛られているため、切花ラッピング袋をうっかり逆さにしても粘性のある花用給水ゼリーは容易にこぼれることなく、底部分に留まってブーケに水分を供給するのでブーケを長持ちさせることができる。
【００１５】
このようにして、ブーケを小売店で容易かつ短時間で綺麗にかつ長持ちするようにラッピングすることができる低価格の切花ラッピング袋となる。
【００１６】
請求項２の発明にかかる切花ラッピング袋は、さらに上端開口部の一端を飾り接着シールで留めるものである。これによって、一層見栄えがよくなり安価な素材で高級感を出すことができる。
【００１７】
このようにして、より一層高級感を出すことができる切花ラッピング袋となる。
【００１８】
請求項３の発明にかかる切花ラッピング袋は、透明プラスティックフィルムとしてＯＰＰ（ｏｒｉｅｎｔｅｄ  ｐｏｌｙｐｒｏｐｙｌｅｎｅ；２軸延伸ポリプロピレン）とＣＰＰ（ｃａｓｔ  ｐｏｌｙｐｒｏｐｙｌｅｎｅ；無延伸ポリプロピレン）を貼り合わせたものを用いているものである。このＯＰＰは優れた透明性と適度な柔軟性をもち、またＣＰＰは強度を補うために用いられるもので、いずれも広く使われている材料であるため低価格で入手でき、花のラッピング材料として適したプラスティックフィルムである。
【００１９】
このようにして、見栄えが良く低価格な切花ラッピング袋となる。
【００２０】
請求項４の発明にかかる切花ラッピング袋は、拡がり部分から上の部分に模様・図形・文字・記号・飾り文字のうち１つ以上を印刷している。記号としてはプラスティックのリサイクルの記号等、文字としては切花ラッピング袋の製造元の会社名とホームページのアドレスや生花店の屋号とホームページのアドレス等、飾り文字としては花に関する欧文の詩等が考えられるが、いずれにしろ収納されている花の美しさを損なわないように印刷が過密にならないように抑えるべきである。適度な飾り文字等の印刷によってブーケの美しさがより一層引き立てられ、さらに高級感を増すことができる。
【００２１】
このようにして、低価格でより一層高級感を増すことができる切花ラッピング袋となる。
【００２２】
請求項５の発明にかかる切花ラッピング袋においては、印刷が白色で行われている。赤色・青色・黄色・緑色等の原色で印刷を行うと、花の色彩を殺してしまうことになる。これに対して、白色は花の色彩を引き立て、ブーケをより一層美しく見せる効果がある。このように、底部分の印刷も飾り部分の印刷も白色で行うことによって、ブーケの美しさがより一層引き立てられ、さらに高級感を増すことができる。
【００２３】
このようにして、低価格でより一層高級感を増すことができる切花ラッピング袋となる。
【００２４】
請求項６の発明にかかる切花ラッピング袋は、透明プラスティックフィルムとして厚さ約３０μｍのＯＰＰ／ＣＰＰフィルムを用いている。ＯＰＰ／ＣＰＰフィルムをラッピングに用いる際には、約３０μｍ〜約５０μｍ程度の厚さが適当であるが、約３０μｍのＯＰＰ／ＣＰＰフィルムを用いることによって、材料コストを削減することができ、より一層低価格で製造することができる。
【００２５】
このようにして、さらに低価格で製造することができる切花ラッピング袋となる。
【発明を実施するための最良の形態】
【００２６】
以下、本発明の実施の形態について、図１乃至図３を参照して説明する。
【００２７】
図１は本発明の実施の形態にかかる切花ラッピング袋の全体を示した正面図である。図２は本発明の実施の形態にかかる切花ラッピング袋の変形例の全体を示した正面図である。図３は本発明の実施の形態にかかる切花ラッピング袋の使用状態を示した斜視図である。
【００２８】
図１に示されるように、本実施の形態にかかる切花ラッピング袋１は、幅の狭い底部分２と、底部分２の上端２ａから幅が曲線状に大きく拡がる拡がり部分３と、拡がり切った幅を保って上端開口部５まで伸びる本体部分４とから構成され、図示される形状に切り抜かれた、２枚の厚さ約３０μｍのＯＰＰ／ＣＰＰフィルムを、上端開口部５を除いて、縁に沿って圧着して製造した薄い袋状のものである。図中に示されるように、底部分２の下端の幅は１００ｍｍ、底部分２の上端２ａの幅は８０ｍｍで、底部分２の上端２ａの幅が最も狭く括れたようになっている。底部分２の高さは８０ｍｍで、続く拡がり部分３の高さは１２０ｍｍ、本体部分４の高さは１６０ｍｍとなっている。そして、図中には示していないが、上端開口部５の幅は２２０ｍｍである。
【００２９】
底部分２の表裏全面には白色の印刷が施されていて不透明になっており、拡がり部分３の下半分には模様９がこれも表裏に白色で印刷されている。この模様９は、模様であるとともに、切花ラッピング袋１を斜め上から見たときに底部分２内の花用給水ゼリーが見えないように隠す役割もする。また、本体部分４には飾り文字（崩し文字）６で“Ｆｌｏｗｅｒ”と印刷されており、その下には本体部分４から拡がり部分３に掛けて飾り文字（崩し文字）７で英語の文章が印刷され、さらにその下には小さくプラスティックリサイクルの記号８が印刷されている。
【００３０】
かかる大きさと形状の切花ラッピング袋１で、客が買い求めたブーケをラッピングするには、まず上端開口部５を大きく開いて、適量の花用給水ゼリーを底部分２に充填する。ここで適量とは、ブーケの切り口が花用給水ゼリーに入れられて嵩が増えることを考えると、底部分２の容積の７〜８割程度に該当するものと思われる。次に、客が買い求めたブーケを上端開口部５から入れて、ブーケの切り口が底部分２の花用給水ゼリーにしっかり浸されるようにする。そして、底部分２の上端２ａにおいてブーケの茎部分を強く縛るように縛具としてのセロハンテープを巻いて、セロハンテープの上から飾りリボンを蝶結び等で結び、後は飾りに上端開口部５の一端を飾り接着シールで留めればラッピングは完成する。
【００３１】
よって、誰にも簡単に短時間でラッピングができ、底部分２の全面が白色印刷で不透明になっているので花用給水ゼリーやブーケの切り口が見えずに見栄えも良く、大きな本体部分４に小さなブーケが収められているので高級感も出る。また、底部分２の上端２ａにおいてブーケの茎部分がセロハンテープで強く縛られているため、切花ラッピング袋１をうっかり逆さにしても粘性のある花用給水ゼリーは容易にこぼれることなく、底部分２に留まってブーケに水分を供給するのでブーケを長持ちさせることができる。
【００３２】
次に、本実施の形態の変形例にかかる切花ラッピング袋について、図２を参照して説明する。図２に示されるように、本実施の形態の変形例にかかる切花ラッピング袋１１は、寸法が異なるだけで、構成は同様である。即ち、幅の狭い底部分１２と、底部分１２の上端１２ａから幅が曲線状に大きく拡がる拡がり部分１３と、拡がり切った幅を保って上端開口部１５まで伸びる本体部分１４とから構成され、図示される形状に切り抜かれた、２枚の厚さ約３０μｍのＯＰＰ／ＣＰＰフィルムを、上端開口部１５を除いて、縁に沿って圧着して製造した薄い袋状のものである。図中に示されるように、底部分１２の下端の幅は１００ｍｍ、底部分１２の上端１２ａの幅は８０ｍｍで、底部分１２の上端１２ａの幅が最も狭く括れたようになっている。底部分１２の高さは１１０ｍｍと少し高く、続く拡がり部分１３の高さも１４０ｍｍ、本体部分４の高さも１９０ｍｍとそれぞれ高くなっている。そして、図中には示していないが、上端開口部５の幅は２６０ｍｍであり、やはり広くなっている。要するに、変形例にかかる切花ラッピング袋１１は、切花ラッピング袋１より一回り大きくなっている。
【００３３】
底部分１２の表裏全面には白色の印刷が施されていて不透明になっており、拡がり部分１３の下半分には模様１９がこれも表裏に白色で印刷されている。この模様１９は、模様であるとともに、切花ラッピング袋１１を斜め上から見たときに底部分１２内の花用給水ゼリーが見えないように隠す役割もする。また、本体部分１４には飾り文字（崩し文字）１６で“Ｆｌｏｗｅｒ”と印刷されており、その下には本体部分１４から拡がり部分１３に掛けて飾り文字（崩し文字）１７で英語の文章が印刷され、さらにその下には小さくプラスティックリサイクルの記号１８が印刷されている。
【００３４】
この切花ラッピング袋１１には、一回り大きいブーケが入れられるだけで、ラッピングの手順は切花ラッピング袋１の場合と全く同じである。
【００３５】
次に、実際に切花ラッピング袋１でブーケをラッピングした状態について、図３を参照して説明する。図３に示されるように、切花ラッピング袋１内にはブーケＦが入れられ、ブーケＦの茎の先端は底部分２内に充填された花用給水ゼリー中に入れられている。そして、底部分２の上端には図示しない強く巻かれた縛具としてのセロハンテープの上から飾りリボン１０が蝶結びで結ばれており、さらに上端開口部５の一端は飾り接着シール２０によって留められている。
【００３６】
このように、大き目の切花ラッピング袋１内にブーケＦを入れ、花の美しさを損なわない程度の白色の飾り文字６，７が施され、飾りリボン１０、飾り接着シール２０が取付けられることによって高級感が出る。また、底部分２の上端には図示しないセロハンテープが強く巻かれているため、切花ラッピング袋１を傾けたり逆さにしたりしても、粘性を有する花用給水ゼリーはこぼれることはない。そして、切花ラッピング袋１の素材としては、安価なＯＰＰ／ＣＰＰフィルムを使用しているため、低価格となる。
【００３７】
このようにして、本実施の形態の切花ラッピング袋１，１１は、低価格で製造でき、ブーケを小売店で容易かつ短時間で、綺麗にかつ長持ちするようにラッピングすることができる。
【００３８】
本実施の形態においては、切花ラッピング袋１，１１の素材のＯＰＰ／ＣＰＰフィルムとして約３０μｍの厚さのものを使用したが、約４０μｍの厚さのもの等、これより厚い素材を用いることもできる。
【００３９】
また、本実施の形態においては、２枚の同形に切り抜いたＯＰＰ／ＣＰＰフィルムの上端開口部５，１５を除いて縁に沿って圧着することによって切花ラッピング袋１，１１を製造しているが、これ以外にもブロー成形によって一体の袋状に成形する等、製造方法は限定されない。
【００４０】
さらに、本実施の形態においては、拡がり部分３，１３に続く本体部分４，１４を一定の幅としているが、本体部分４，１４の幅にもテーパを付けてさらに拡がる形状とすることもできる。
【００４１】
また、本実施の形態においては、切花ラッピング袋１，１１の本体部分４，１４及び拡がり部分３，１３に飾り文字等を白色で印刷した例について説明したが、切花ラッピング袋の製造元の会社名とホームページのアドレスや生花店の屋号とホームページのアドレス等を印刷しても良い。
【００４２】
さらに、本実施の形態においては、切花ラッピング袋１の上端開口部５の一端を飾り接着シール２０で留めているが、この飾り接着シール２０は本発明に必須のものではない。
【００４３】
本発明を実施するに際しては、切花ラッピング袋のその他の部分の構成、形状、数量、材質、大きさ、接続関係等についても、本実施の形態に限定されるものではない。
【００４４】
なお、縛具としては、輪ゴム、セロハンテープ、紐等が該当する。
【図面の簡単な説明】
【００４５】
【図１】図１は本発明の実施の形態にかかる切花ラッピング袋の全体を示した正面図である。
【図２】図２は本発明の実施の形態にかかる切花ラッピング袋の変形例の全体を示した正面図である。
【図３】図３は本発明の実施の形態にかかる切花ラッピング袋の使用状態を示した斜視図である。
【符号の説明】
【００４６】
１，１１  切花ラッピング袋
２，１２  底部分
３，１３  拡がり部分
４，１４  本体部分
５，１５  上端開口部
６，７，１６，１７  飾り文字
８，１８  記号
９，１９  模様
１０  飾りリボン
２０  飾り接着シール
Ｆ  ブーケ
【図１】
2005088910.tif 000003
【図２】
2005088910.tif 000004
【図３】
2005088910.tif 000005